(57)【特許請求の範囲】
【請求項１】
ネットワーク装置間に配置され両者の間の配線を中継するパッチパネルと、前記ネットワーク装置と前記パッチパネルの間を接続するＲＦＩＤ付きケーブルと、前記ＲＦＩＤから情報を読み取るアンテナ部と、前記ＲＦＩＤを監視制御するＲＦＩＤ監視制御装置とを備えているシステムにおいて、
前記ＲＦＩＤ監視制御装置内のスイッチを用いて、前記アンテナ部の中のアンテナを選択して、該アンテナに切り替えを行う第１のステップと、
前記選択されたアンテナに対応する前記パッチパネルのポートに挿入された前記ＲＦＩＤ付きケーブルのＲＦＩＤから個体識別可能なキーを含む情報を取得する第２のステップと、
前記情報をもとに、前記ＲＦＩＤ監視制御装置内のデータベースを検索し、前記情報が存在した場合、前記情報と前記ＲＦＩＤ監視制御装置内のデータベースに保存されている情報とを比較する第３のステップと、
前記第３のステップで前記情報が存在しない場合または不一致があった場合、上位システムに存在しないことまたは不一致を通知する第４のステップと、
前記第１から第４のステップを全てのアンテナに対して行う第５のステップと、
を備えていることを特徴とするＲＦＩＤによるパッチパネル接続監視方法。
【請求項２】
前記第４のステップは、前記第３のステップで前記情報が存在しないまたは不一致があった場合、前記情報で前記データベースを更新する機能をさらに有し、
前記第５のステップは、全てのアンテナに対して繰り返し行われることを特徴とする請求項１に記載のＲＦＩＤによるパッチパネル接続監視方法。
【請求項３】
ネットワーク装置間に配置され両者の間の配線を中継するパッチパネルと、前記ネットワーク装置と前記パッチパネルの間を接続するＲＦＩＤ付きケーブルと、前記ＲＦＩＤから情報を読み取るアンテナ部と、前記ＲＦＩＤを監視制御するＲＦＩＤ監視制御装置とを備えているシステムにおいて、
前記ＲＦＩＤの情報を保存することができるデータベース部と、
上位システムに対する通知機能を有する外部インターフェース部と、
前記アンテナ部の中のアンテナを選択して、該アンテナに切り替えを行うスイッチと、
前記スイッチを用いて、前記アンテナ部の中のアンテナを選択して、該アンテナに切り替え、前記選択されたアンテナに対応する前記パッチパネルのポートに挿入された前記ＲＦＩＤ付きケーブルのＲＦＩＤから個体識別可能なキーを含む情報を取得し、前記情報をもとに、前記データベースを検索し、前記情報が存在した場合、該情報と前記データベースに保存されている情報とを比較し、前記情報が存在しない場合または不一致があった場合、前記外部インターフェース部を用いて、上位システムに存在しないことまたは不一致を通知するＲＦＩＤ監視を全てのアンテナに対して行う制御部と、
を備えていることを特徴とするＲＦＩＤ監視制御装置。
【請求項４】
前記制御部は、前記情報が存在しないまたは前記不一致があった場合、前記情報で前記データベースを更新する機能をさらに有すること、及び前記ＲＦＩＤ監視を全てのアンテナに対して繰り返し行うことを特徴とする請求項３に記載のＲＦＩＤ監視制御装置。
【発明の詳細な説明】
【技術分野】
【０００１】
本発明は、ＲＦＩＤによるパッチパネル接続監視方法及び該方法を実行するＲＦＩＤ監視制御装置に関する。より詳細には、ＲＦＩＤ付きケーブルの新規挿入や抜去が行われた場合に、運用管理システムがその接続状態変更情報を瞬時に検知できる方法及び装置に関する。
【背景技術】
【０００２】
従来、パッチパネルのケーブル・ファイバの管理として、接続先、接続元等を記載した丸札（手書き）による管理がなされてきた。しかしながら、その情報の不一致により、たびたび接続違いによる障害が発生している。その問題を解決するために、特許文献１では、パッチパネル（ＵＴＰケーブル）の空きピンを利用して接続異常検出を行っていた。また、特許文献２では、ＲＦＩＤを用いた光ファイバケーブルの管理方法が提案された。
【０００３】
また、図１に示すように、ＩＣタグ付きのコネクタを有するケーブルを用いることにより、光ファイバ用のパッチパネルとクライアント装置及びファイバの接続情報管理を連携して管理可能な運用管理システムの提案もなされている。これにより、情報の不一致が発生せず、不一致による誤接続を防止可能となる。
【０００４】
【特許文献１】特開２００４−３２００９０号公報
【特許文献２】特開２００４−３４９１８４号公報
【発明の開示】
【発明が解決しようとする課題】
【０００５】
しかしながら、上記の方法では予期せぬ光ファイバやケーブルの挿入及び抜去が発生した場合、パッチパネルを管理している運用管理システムがその情報状態の変化を瞬時に検知することはできないという課題があった。
【０００６】
したがって、本発明は、ＲＦＩＤ付きファイバ・ケーブルを用い、予期せぬ構成変更が発生した場合には、このファイバ・ケーブルの構成変更を検知し、この変更を上位システム側へ通知することが可能なＲＦＩＤによるパッチパネル接続監視方法及びＲＦＩＤ監視制御装置を提供することを目的とする。
【課題を解決するための手段】
【０００７】
本発明によれば、ネットワーク装置間に配置され両者の間の配線を中継するパッチパネルと、前記ネットワーク装置と前記パッチパネルの間を接続するＲＦＩＤ付きケーブルと、前記ＲＦＩＤから情報を読み取るアンテナ部と、前記ＲＦＩＤを監視制御するＲＦＩＤ監視制御装置とを備えているシステムにおいて、前記ＲＦＩＤ監視制御装置内のスイッチを用いて、前記アンテナ部の中のアンテナを選択して、該アンテナに切り替えを行う第１のステップと、前記選択されたアンテナに対応する前記パッチパネルのポートに挿入された前記ＲＦＩＤ付きケーブルのＲＦＩＤから個体識別可能なキーを含む情報を取得する第２のステップと、前記情報と前記ＲＦＩＤ監視制御装置内のデータベースに保存されている情報とを比較する第３のステップと、前記第３のステップで不一致があった場合、上位システムに不一致を通知する第４のステップと、前記第１から第４のステップを全てのアンテナに対して行う第５のステップとを備えているＲＦＩＤによるパッチパネル接続監視方法が提供される。
【０００８】
また、前記第４のステップは、前記第３のステップで不一致があった場合、前記情報で前記データベースを更新する機能をさらに有し、前記第５のステップは、全てのアンテナに対して繰り返し行われることも好ましい。
【０００９】
本発明によれば、ネットワーク装置間に配置され両者の間の配線を中継するパッチパネルと、前記ネットワーク装置と前記パッチパネルの間を接続するＲＦＩＤ付きケーブルと、前記ＲＦＩＤから情報を読み取るアンテナ部と、前記ＲＦＩＤを監視制御するＲＦＩＤ監視制御装置とを備えているシステムにおいて、前記ＲＦＩＤの情報を保存することができるデータベース部と、上位システムに対する通知機能を有する外部インターフェース部と、前記アンテナ部の中のアンテナを選択して、該アンテナに切り替えを行うスイッチと、前記スイッチを用いて、前記アンテナ部の中のアンテナを選択して、該アンテナに切り替え、前記選択されたアンテナに対応する前記パッチパネルのポートに挿入された前記ＲＦＩＤ付きケーブルのＲＦＩＤから個体識別可能なキーを含む情報を取得し、該情報と前記データベースに保存されている情報と比較し、不一致があった場合、前記外部インターフェース部を用いて、上位システムに不一致を通知するＲＦＩＤ監視を全てのアンテナに対して行う制御部とを備えているＲＦＩＤ監視制御装置が提供される。
【００１０】
また、前記制御部は、前記不一致があった場合、前記情報で前記データベースを更新する機能をさらに有すること、及び前記ＲＦＩＤ監視を全てのアンテナに対して繰り返し行うことも好ましい。
【発明の効果】
【００１１】
本方法により、ＲＦＩＤ監視制御装置により管理されるファイバ・ケーブルの接続状態が変更（挿入・抜去）された場合に、瞬時にその状態が上位の運用管理システムへ通知される。このため、運用者は運用管理システムを通じてＲＦＩＤで管理されているファイバ・ケーブルの接続状態変更及び誤接続をオンタイムで確認することが可能となる。
【発明を実施するための最良の形態】
【００１２】
以下、図面を参照して本発明を説明する。図２に本発明によるパッチパネル管理システムの構成概要を示す。本実施形態では、光ファイバ用パッチパネルを管理するシステムを示している。
【００１３】
図２によると本システムは、複数のパッチパネルポートから構成される光ファイバ用パッチパネル１、ＲＦＩＤ付き光ファイバ２、このＲＦＩＤの情報を書き込み及び読み取りが可能なリーダー・ライターを有するアンテナ部３、複数のアンテナを制御可能で、さらにＲＦＩＤの状態を常に監視するＲＦＩＤ監視制御装置４、及び運用管理システム５から構成される。
【００１４】
光ファイバ用パッチパネル１は、Ｌ２スイッチやルータなどのネットワーク機器を光ファイバにより、接続する装置であり、また、パッチパネル１は、光クロスコネクト装置からなり、ネットワーク機器間の接続をクロスコネクト機能により実現する。本パッチパネル１に接続されるＲＦＩＤ付きファイバは、コネクタにＲＦＩＤ（ＩＣタグ）を有している。このＲＦＩＤは、内部に個体識別可能な機器固有のキー（ＲＦＩＤキー）を有し、近距離から無線通信によりこのキーを読み出すことが可能である。また、近距離からの無線通信により内部に情報を記録したり、記録した情報を無線通信により外部に送信する機能を有することもできる。アンテナ部３は、パッチパネル１のポート毎にアンテナを有しており、パッチパネルに挿入された光ファイバのＲＦＩＤの情報を読み取る及び書き込むことができる。運用管理システム５は、ネットワークを構成するネットワーク機器を管理する装置であり、ＳＮＭＰ等を用いて、対象とする装置の装置情報を取得し、ネットワーク運用者に通知及び表示する機能を有する。
【００１５】
ＲＦＩＤ監視制御装置４は常にＲＦＩＤの状態を監視し、変更時に上位システム（本実施形態では運用管理システム５）へ警報伝播する機能を持つ。図３に、本発明によるＲＦＩＤ監視制御装置４のブロック構成図を示す。
【００１６】
図３によると、ＲＦＩＤ監視制御装置４は、制御部４１、データベース（ＤＢ）部４２、スイッチ（ＳＷ）部４３、外部インターフェース（Ｉ／Ｆ）部４４から構成されている。制御部４１は、上位運用管理システム５からの読込要求・書き込み要求を処理する機能、ＲＦＩＤの情報を常に制御（読取）し、その情報をＤＢ部４２へ保存要求を出す機能、ＲＦＩＤから読み取った情報でＤＢ部４２に検索要求を行う機能、及びＲＦＩＤから読み取った情報とＤＢ部４２に保存されている情報とを比較して、異なっていた場合は外部インターフェース部４４に警報通知送信を要求する機能を有する。ＤＢ部４２は制御部４１からの要求により対象の情報を保存及び検索する機能を有する。スイッチ部４３は制御部４１からの要求をもとに、要求に応じたアンテナを選択して、該アンテナに切り替えを行う機能を有する。外部インターフェース部４４は上位運用管理システム５からの要求の受付及びＳＮＭＰのトラップ等で上位運用管理システム５へ警報を送信する機能を有する。
【００１７】
図４及び図５に、本発明によるＲＦＩＤ監視制御装置４の障害検知取得フローを示す。ＲＦＩＤ監視制御装置４は、下記のフローをアンテナ１からアンテナＮ（Ｎは最大アンテナ数）まで行い、アンテナＮに達した後アンテナ１から再度繰り繰り返しすることにより、複数のＲＦＩＤ情報を常時に監視することが可能になる。
［１］制御部４１はアンテナＸに対応するポートに挿入された光ファイバのＲＦＩＤの情報を取得するため、情報収集要求をＳＷ部４３へ送信する。
［２］ＳＷ部４３は要求情報をもとに、アンテナＸに切り替えを行い、要求コマンドをアンテナＸに送信する。
［３］アンテナＸが要求を受け取り、ＲＦＩＤへ情報取得要求を行う。
［４］ＲＦＩＤは要求をもとに、情報をアンテナＸに返送する。
［５］アンテナＸは情報を制御部４１に返送する。
［６］制御部４１は受信した情報のＲＦＩＤキーをもとにデータベース部４２に検索要求を送出する。
［７］データベース部４２は受信したＲＦＩＤキーをもとに、データベース内の情報を検索する。
［８］検索情報があった場合は、データベース内の情報を制御部４１に返送し、なかった場合はその旨を返送する。
［９］制御部４１はデータベース内の情報が返送された場合、ＲＦＩＤから取得した情報と、データベース部４２から取得した情報を比較する。変更がない場合は、［１］に戻り、次のアンテナの情報取得へ移行する。変更があった場合、次の［１０］及び［１３］に移行する。情報がなかった場合も同様に次の［１０］及び［１３］に移行する。
［１０］変更情報をデータベース部４２の反映させるため、データベース部４２に情報変更要求を送出する。また、データベース内に情報がなかった場合も同様に処理する。
［１１］データベース部は情報変更要求をもとに更新または新規登録を行う。
［１２］制御部４１は更新または登録情報を確認し、［１］に戻り、次のアンテナの情報取得へ移行する。
［１３］制御部４１は情報が更新されていることを上位の運用管理システム５に通知するため、外部インターフェース部４４に警報通知要求を行う。
［１４］外部インターフェース部４４は受信した警報情報を運用管理システム５に転送する。
【００１８】
以上のように、ＲＦＩＤ監視制御装置４から警報が転送されるため、運用管理システム５は光ファイバ接続状態の変更が検知でき、運用者はオンタイムで接続状態の変更を確認することができる。なお、データベース部４２に最初、光ファイバのＲＦＩＤの情報を記憶しておく必要はない。この場合、光ファイバが新たに接続された時、運用管理システム５に警報情報が通知される。逆にデータベース部４２にパッチパネルの各ポートに接続される光ファイバのＲＦＩＤの情報を事前に記憶しておくこともできる。この場合、運用管理システム５に警報情報が転送されることにより、ケーブルの誤接続をオンタイムで確認することができる。
【００１９】
なお、ケーブルの誤接続をオンタイムで確認することのみを目的にする場合、ＲＦＩＤ監視制御装置４は、データベース部４２の内容を変更する機能は不要であり、またアンテナ１からアンテナＮ（Ｎは最大アンテナ数）まで行うだけでよく、アンテナＮに達した後アンテナ１から再度繰り返すことは必要としない。
【００２０】
また、以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【図面の簡単な説明】
【００２１】
【図１】光ファイバ用パッチパネル管理システムの構成概要をを示す。
【図２】本発明によるパッチパネル管理システムの構成概要を示す。
【図３】本発明によるＲＦＩＤ監視制御装置のブロック構成図を示す。
【図４】本発明によるＲＦＩＤ監視制御装置の障害検知取得フローを示す。
【図５】本発明によるＲＦＩＤ監視制御装置の障害検知取得フロー（続き）を示す。
【符号の説明】
【００２２】
１  光ファイバ用パッチパネル
２  ＲＦＩＤ付き光ファイバ
３  アンテナ部
４  ＲＦＩＤ監視制御装置
５  運用管理システム
４１  制御部
４２  データベース（ＤＢ）部
４３  スイッチ（ＳＷ）部
４４  外部インターフェース（Ｉ／Ｆ）部
【図１】
0004911057.tif 000002
【図２】
0004911057.tif 000003
【図３】
0004911057.tif 000004
【図４】
0004911057.tif 000005
【図５】
0004911057.tif 000006